(57)【特許請求の範囲】
【請求項１】
２台の輪転印刷機を使用して、一方の輪転印刷機で連続した広幅用紙に、他方の輪転印刷機で広幅用紙の幅の１／２より所定寸法だけ大きい連続した狭幅用紙に、それぞれ絵柄ピッチが同じ印刷を行う工程と、他方の輪転印刷機で印刷した狭幅用紙に狭幅用紙の一方の端縁から広幅用紙の幅の１／２間隔をおいた位置に１本もしくは該位置を跨ぐように所定間隔をおいて２本のミシン目を形成する工程と、一方の輪転印刷機で印刷した広幅用紙の幅方向の中央部を流れに平行方向にスリットする工程と、狭幅用紙を広幅用紙に広幅用紙の一方の端縁と狭幅用紙の一方の端縁を揃えて重ね合わせて一方の端縁にて接着する工程と、接着した広幅用紙と狭幅用紙を広幅用紙の幅方向の中央部にて狭幅用紙を挟み込むように流れに平行方向に折り曲げる工程と、折り曲げられた広幅用紙の他方の端縁と狭幅用紙の一方の端縁を接着するとともに折り曲げられた狭幅用紙の他方の端縁を対向する狭幅用紙に接着する工程と、折り曲げられて接着された広幅用紙と狭幅用紙を流れに直交方向の所定位置にてカットする工程からなることを特徴とする付録つきチラシの製造方法。
【発明の詳細な説明】
【０００１】
【発明の属する技術分野】
本発明は、一方の端縁にて接着された２枚の表紙紙片と１枚の中間紙片からなり、中間紙片の他方の端縁に封緘部が形成されており、封緘部を切り裂いて開封し、封緘部に添付されている引換券等を切り取って使用できるようにされた付録つきチラシの製造方法に関する。
【０００２】
【従来の技術】
従来、引換券やクーポン券等が切り取り可能に添付された広告用のチラシとしては、チラシの一部分が引換券やクーポン券等とされて切り取り可能に形成されている構成のものは知られている。しかしながら、上記のチラシは１枚ものが一般的であり、あまりにも見慣れた形態であるため、顧客吸引力に乏しくなってきており、また印刷面積も限られているという問題がある。
【０００３】
【発明が解決しようとする課題】
本発明は、一方の端縁にて接着された２枚の表紙紙片と１枚の中間紙片からなり、中間紙片の他方の端縁にミシン目に沿って切って開封できる封緘部が形成されており、切り離し可能に引換券等が形成されている、顧客吸引力が高く且つ印刷面積の大きい付録つきチラシ及びその製造方法を提供することにある。
【０００４】
【課題を解決するための手段】
２台の輪転印刷機を使用して、一方の輪転印刷機で連続した広幅用紙に、他方の輪転印刷機で広幅用紙の幅の１／２より所定寸法だけ大きい連続した狭幅用紙に、それぞれ絵柄ピッチが同じ印刷を行う工程と、他方の輪転印刷機で印刷した狭幅用紙に狭幅用紙の一方の端縁から広幅用紙の幅の１／２間隔をおいた位置に１本もしくは該位置を跨ぐように所定間隔をおいて２本のミシン目を形成する工程と、一方の輪転印刷機で印刷した広幅用紙の幅方向の中央部を流れに平行方向にスリットする工程と、狭幅用紙を広幅用紙に広幅用紙の一方の端縁と狭幅用紙の一方の端縁を揃えて重ね合わせて一方の端縁にて接着する工程と、接着した広幅用紙と狭幅用紙を広幅用紙の幅方向の中央部にて狭幅用紙を挟み込むように流れに平行方向に折り曲げる工程と、折り曲げられた広幅用紙の他方の端縁と狭幅用紙の一方の端縁を接着するとともに折り曲げられた狭幅用紙の他方の端縁を対向する狭幅用紙に接着する工程と、折り曲げられて接着された広幅用紙と狭幅用紙を流れに直交方向の所定位置にてカットする工程からなる付録つきチラシの製造方法とすることにより、２台の輪転印刷機を使用して、連続した広幅用紙と狭幅用紙にそれぞれ印刷するとともに、印刷工程とインラインで付録つきチラシを効率よく低コストで大量生産することきができる。また、２台の輪転印刷機を使用して印刷することにより、左右方向の寸法の大きい付録つきチラシを簡単に作製することができる。
【０００７】
【発明の実施の形態】
以下、図面を引用して本発明の実施の形態を説明する。
図１は本発明の付録つきチラシの半開き状態の斜視図、図２は本発明の付録つきチラシの封緘部を開封した状態の斜視図、図３は本発明の付録つきチラシの製造工程を示す印刷された広幅紙片と狭幅紙片を一方の端縁を揃えて重ね合わせ接着した状態の平面図、図４は図３におけるＩ−Ｉ断面図、図５は本発明の付録つきチラシの製造工程を示す図４に対応する断面図、図６は図３に示す状態から折目線にて狭幅紙片を内側にして折り曲げて接着した状態を示す平面図、図７は図６におけるII−II断面図、図８は本発明の付録つきチラシの閉じた状態の平面図、図９は広幅用紙及び狭幅用紙に印刷する輪転印刷機の概略を示す図、図１０は接着折曲部の概略を示す図であって、1a, 1bは表紙紙片、2aは中間紙片、2bは折曲紙片、３，４，５は接着部、６はミシン目、７は切取線、８は折目線、９はカット線、１は広幅用紙、２は狭幅用紙、11, 21は給紙部、12, 22は印刷部、13, 23は乾燥部、24はピッチ調整部、25, 26は反転ロール、30は接着折曲部、31, 32, 33は糊付部、34はスリット部、35はミシン目形成部、36は折曲部、37はカット部、Ａ，Ｂは輪転印刷機をそれぞれ表す。
【０００８】
本発明の実施形態の付録つきチラシの半開き状態の斜視図は、図１に示すとおりであり、同一寸法の長方形状である表裏２枚の表紙紙片1a,1b とその間に挿入された１枚の中間紙片2aからなり、表紙紙片1a,1b と中間紙片2aは一方の端縁にて揃えて接着部にて接着されて綴じられ、中間紙片2aが左右方向の寸法が表紙紙片1a,1b の左右方向の寸法より一定寸法だけ大きい紙片となっており、中間紙片2aの他方の端縁から突出した部分が表紙紙片1a,1b の他方の端縁の位置にて折り返されて折曲紙片2bとなり、折曲紙片2bの端縁を対向する中間紙片2a面に接着部４にて接着することにより部分的に封緘された封緘部が形成され、折目の近傍に該折目に平行にミシン目６が形成された構成である。
【０００９】
実施形態の付録つきチラシの中間紙片2aの他方の端縁をミシン目６に沿って切り取って開封した状態の斜視図は、図２に示すとおりであって、中間紙片2aの他方の端縁側の部分と接着部４にて接着された折曲紙片2bが見開ける状態となる。図２に示すように、中間紙片2aの他方の端縁側の部分が印刷された切取線７により区画されており、切取線７に沿って切り取って引換券として使用できるようにされており、折曲紙片2bの内面側には引換券に関する説明が印刷されている。表紙紙片1a, 1bの両面及び中間紙片2aと折曲紙片2bの封緘されていない外面側には商品の広告が印刷されている。実施形態では開封した中間紙片2aの他方の端縁側の部分が印刷された切取線７に沿って鋏で切り取って引換券として使用できるようにされているが、切取線７をミシン目により形成して手で切り取れるようにしてもよい。折曲紙片2bの左右方向の寸法は、折曲紙片2bを切り取って使用する用途に適した寸法に設定すればよく任意である。
【００１０】
実施形態の付録つきチラシの製造工程は下記のとおりである。図９に示すように、２台のオフセツト輪転印刷機を使用して、一方の輪転印刷機Ａにて広幅用紙１に所定の絵柄を印刷し、他方の輪転印刷機Ｂにて広幅用紙の幅の１／２より所定寸法だけ大きい狭幅用紙２に所定の絵柄を印刷する。２台の輪転印刷機では同一ピッチの印刷版を使用して絵柄ピッチが同一となるように印刷される。輪転印刷機Ａにより広幅用紙１を給紙部11から給紙して印刷部12にて所定の絵柄を印刷して乾燥部13にて印刷インキを乾燥させた後に接着折曲部30に送られ、輪転印刷機Ｂにより狭幅用紙２を給紙部21から給紙して印刷部22にて所定の絵柄を印刷して乾燥部23にて印刷インキを乾燥させた後に、狭幅用紙２を反転ロール25にて直角に反転させ、ピッチ調整部24を通り、反転ロール26にて直角に反転させて、狭幅用紙２の一方の端縁から広幅用紙の幅の１／２の寸法だけ内側の位置の両側に２本のミシン目を形成して、広幅用紙１と狭幅用紙２の一方の端縁を揃えて重ね合わされて接着折曲部30に送られる。
【００１１】
接着折曲部30では、図10に示すように、広幅用紙１の幅方向の中央部にてスリット部35にてスリットし、糊付部31にて狭幅用紙２の一方の端縁に接着剤を塗布し、広幅用紙１と狭幅用紙２の一方の端縁を揃えて広幅用紙１と狭幅用紙２を接着する。次いで、糊付部32にて狭幅用紙２の他方の端縁に接着剤を塗布するとともに糊付部33にて広幅用紙１と積層された狭幅用紙２の一方の端縁に接着剤を塗布し、広幅用紙１と狭幅用紙２を重ねた状態で広幅用紙１の幅方向の中央部にて狭幅用紙２を内側にして流れに平行に２つ折して、広幅用紙１の他方の端縁を狭幅用紙２の一方の端縁に接着するとともに狭幅用紙２の他方の端縁を対向する狭幅用紙２面に接着した後、流れに直交方向の所定位置にてカットすることにより折り畳まれた状態の実施形態の付録つきチラシが作製される。
【００１２】
上記の付録つきチラシの製造方法において、２台の輪転印刷機間にピッチ調整装置24を設置しておき、２台の輪転印刷機にて同一ピッチの印刷版を使用して絵柄が印刷されるのであるが、印刷された広幅用紙１と狭幅用紙２の印刷絵柄ピッチにバラツキが発生した場合には、ピッチ調整装置24により狭幅用紙２のテンションを変えることにより、狭幅用紙２の印刷絵柄ピッチを広幅用紙１の印刷絵柄ピッチに合わせるように調整することにより、重ね合わされた広幅用紙１と狭幅用紙２の印刷絵柄が一致するように調整される。
【００１３】
一方の輪転印刷機で印刷され幅方向の中央部にて流れに平行方向にスリットされた広幅用紙１と、他方の輪転印刷機で印刷され流れに平行方向の所定位置にミシン目６が形成された狭幅用紙２を一方の端縁で揃えて重ね合わせて接着した状態は図３、図４に示すとおりである。広幅紙片１と、左右寸法が広幅紙片１の１／２より所定寸法だけ大きい狭幅紙片２を一方の端縁で揃えて、広幅紙片１の一方の端縁と狭幅紙片２の一方の端縁を接着部３にて接着されており、広幅用紙１の左右方向の中央部が折目線８とされて折目線８の箇所で広幅用紙１が流れ方向にスリットされており、狭幅紙片２には折目線８の両側近傍に流れ方向に平行に２本のミシン目６が形成されている。広幅用紙１には左右方向に表紙紙片1aと表紙紙片1bが割り付けられるとともに、狭幅紙片２には中間紙片2aと折曲紙片2bが割り付けられており、広幅用紙１の表紙紙片1aの端縁と狭幅紙片２の中間紙片2aの端縁を揃えて接着部３にて接着されている。
【００１４】
図３、図４に示す、広幅用紙１と狭幅紙片２を一方の端縁で揃えて重ね合わせて接着部３にて接着した状態から、断面が図５に示されているように、狭幅紙片２の接着部３と反対側の他方の端縁に沿った接着部４及び接着部３に対応する狭幅紙片２の一方の端縁の接着部５にそれぞれ接着剤を塗布した後に、広幅用紙１と狭幅紙片２を広幅用紙１の左右方向の中央部のスリットされた折目線８の位置にて狭幅紙片２を挟み込むように折り曲げて、広幅用紙１の他方の端縁を狭幅紙片２の一方の端縁に接着するとともに、折り曲げられた狭幅紙片２の他方の端縁を対向する狭幅紙片２面に接着して封緘部を形成することにより、折り畳まれた実施形態の付録つきチラシが流れ方向にカット線９を介して連続した図６、図７に示す状態とする。最後に、カット線９にてカットすることにより、図８に示す折り畳まれた実施形態の付録つきチラシが得られる。図６の点線で表されている部分は狭幅紙片２の接着部３と反対側の他方の端縁を示している。
【００１５】
上記のように、２台の輪転印刷機を使用して、一方の輪転印刷機に広幅用紙に所定の絵柄を印刷し、他方の輪転印刷機にて広幅用紙の幅の１／２より所定寸法だけ大きい狭幅用紙に所定の絵柄を印刷する方法にて付録つきチラシを製造することより、印刷とインラインの加工により簡単な工程で付録つきチラシを効率的に大量生産することが可能となるのでコストダウンを図ることができる。付録つきチラシの中間紙片に形成された封緘部に引換券やクーポン券等を印刷しておくことにより、封緘部をミシン目で切り取って開封し、引換券やクーポン券等を切り離して利用することができるものである。また付録つきチラシの左右寸法を一方の輪転印刷機にて印刷される広幅用紙の幅と同じ寸法まで大きくすることが可能であり、付録つきチラシを左右方向に大きく見開くことができるので、見る人に対する訴求効果の大きい左右方向に大きい印刷面を有する付録つきチラシとすることができる。
【００１６】
【発明の効果】
本発明の付録つきチラシの製造方法により得られた付録つきチラシは、表裏２枚の表紙紙片とその間に挿入される１枚の中間紙片が一方の端縁にて接着して綴じられ、中間紙片の他方の端縁側にミシン目に沿って切って開封できる封緘部を有する構成であるので、中間紙片に形成されている封緘部を開封することにより、封緘部に印刷されている引換券やクーポン券等を切り離して使用することができるものである。また、外側の２枚の表紙紙片の両面及び中間紙片の外面の領域は商品の広告用に使用できるので、印刷された商品の広告を左右に大きく見開いて見ることができ、顧客に対する訴求効果が大きく且つ印刷された広告内容の見やすい新聞折り込み用の付録つきチラシとすることができるものである。
【００１７】
付録つきチラシを、２台の輪転印刷機を使用して広幅用紙と狭幅用紙に印刷する工程とインラインで加工が可能な本件発明の製造方法にて製造することにより、左右方向の寸法の大きい２枚の表紙紙片と１枚の中間紙片からなり、中間紙片に封緘部が形成された付録つきチラシを、簡単な工程で低コストで効率的に大量生産することきができるものである。
【図面の簡単な説明】
【図１】本発明の付録つきチラシの半開き状態の斜視図。
【図２】本発明の付録つきチラシの封緘部を開封した状態の斜視図。
【図３】本発明の付録つきチラシの製造工程を示す印刷された広幅紙片と狭幅紙片を一方の端縁を揃えて重ね合わせ接着した状態の平面図。
【図４】図３におけるＩ−Ｉ断面図。
【図５】本発明の付録つきチラシの製造工程を示す図４に対応する断面図。
【図６】図３に示す状態から折目線にて狭幅紙片を内側にして折り曲げて接着した状態を示す平面図。
【図７】図６におけるII−II断面図。
【図８】本発明の付録つきチラシの閉じた状態の平面図。
【図９】広幅用紙及び狭幅用紙に印刷する輪転印刷機の概略を示す図。
【図１０】接着折曲部の概略を示す図。
【符号の説明】
1a, 1b  表紙紙片                    30  接着折曲部
2a  中間紙片                        31, 32, 33  糊付部
2b  折曲紙片                        34  スリット部
３，４，５  接着部                  35  ミシン目形成部
６  ミシン目                        36  折曲部
７  切取線                          37  カット部
８  折目線                          Ａ，Ｂ  輪転印刷機
９  カット線
１  広幅用紙
２  狭幅用紙
11, 21  給紙部
12, 22  印刷部
13, 23  乾燥部
24  ピッチ調整部
25, 26  反転ロール
【図１】
0004459502.tif 000002
【図２】
0004459502.tif 000003
【図３】
0004459502.tif 000004
【図４】
0004459502.tif 000005
【図５】
0004459502.tif 000006
【図６】
0004459502.tif 000007
【図７】
0004459502.tif 000008
【図８】
0004459502.tif 000009
【図９】
0004459502.tif 000010
【図１０】
0004459502.tif 000011